(57)【要約】【課題】コンテンツを効率的に転送したい。【解決手段】放送処理部２２は、放送波を介してコンテンツを受信する。ＲＴＰ処理部３８は、放送処理部２２において受信したコンテンツに対して、放送波を介して受信した際の形式を維持しながら、通信網を介して配信する際に適した形式へ変換する。無線ＬＡＮ通信部４２は、ＲＴＰ処理部３８において変換したコンテンツを、通信網を介して配信する。なお、無線ＬＡＮ通信部４２から配信するコンテンツの形式は、放送処理部２２において受信したコンテンツが格納されるように規定されている。そのため、ＲＴＰ処理部３８は、コンテンツ自体に対する復号および符号化を実行せずに、変換を実行する。【選択図】図２
2010028153.tif 000002
【特許請求の範囲】
【請求項１】
放送波を介してコンテンツを受信する放送波受信部と、
前記放送波受信部において受信したコンテンツに対して、放送波を介して受信した際の形式を維持しながら、通信網を介して配信する際に適した形式へ変換するコンテンツ変換部と、
前記コンテンツ変換部において変換したコンテンツを、通信網を介して配信するコンテンツ配信部と、
を備えることを特徴とするコンテンツ中継装置。
【請求項２】
前記コンテンツ配信部から配信するコンテンツの形式は、前記放送波受信部において受信したコンテンツが格納されるように規定されており、
前記コンテンツ変換部は、コンテンツ自体に対する復号および符号化を実行せずに、変換を実行することを特徴とする請求項１に記載のコンテンツ中継装置。
【請求項３】
放送波を介してコンテンツを受信する放送波受信部と、
通信網を介してコンテンツを受信する通信網受信部と、
前記放送波受信部において受信した放送波の受信感度を検知する受信感度検知部と、
前記受信感度検知部での検知結果をもとに、コンテンツを受信するための手段として、前記放送波受信部あるいは前記通信網受信部を選択する受信部選択部と、
を備えることを特徴とするコンテンツ受信装置。
【請求項４】
前記受信部選択部は、前記受信感度検知部において検知した受信感度が、設定されたレベルより低い場合、前記通信網受信部を選択することを特徴とする請求項３に記載のコンテンツ受信装置。
【発明の詳細な説明】
【技術分野】
【０００１】
本発明は、コンテンツ中継技術およびコンテンツ受信技術に関し、特にコンテンツを伝送するコンテンツ中継装置およびコンテンツ受信装置に関する。
【背景技術】
【０００２】
地上デジタル放送のうちのワンセグメント放送（以下、「ワンセグ（登録商標）」、「ワンセグ放送」、「１セグ」、「１セグ放送」という）に対応した受信モジュールを搭載した携帯電話端末の普及が進んでいる。しかしながら、ワンセグ放送の電波は、建物の内部や地下まで届かない傾向にあり、一般的に、視聴できる場所が、屋内の窓周辺もしくは屋外に限られてしまう。一方、携帯電話端末等の移動端末での視聴を目的としているワンセグ放送では、テレビジョン放送をどこでも視聴できることが大きなメリットである。そのため、受信できないエリアが少ないほど好ましい。放送すべきコンテンツをサーバに記憶し、通信網を介してサーバから携帯電話端末にコンテンツを配信することが提案されている（例えば、特許文献１参照。）。
【特許文献１】特開２００２−１６４８６０号公報
【発明の開示】
【発明が解決しようとする課題】
【０００３】
ビルの陰や地下街などのような、放送波が届かない場所を補完するためのシステムとして、ギャップフィラーがある。これは、受信した放送波を、放送波が届かない場所に再配信する中継基地局である。ギャップフィラーも放送波を送信しており、ギャップフィラーにも放送設備としての規定が要求される。また、地上デジタル放送では、数百から数千におよぶサブキャリア数でのＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調等が必要になるので、構成が複雑になる。以上のことを考慮すると、誰もが気軽にギャップフィラーを設置できるわけではない。
【０００４】
一方、携帯電話端末には、無線ＬＡＮ（Ｌｏｃａｌ  Ａｒｅａ  Ｎｅｔｗｏｒｋ）に接続するための機能が搭載されつつある。また、街中で無線ＬＡＮ等の通信網への接続を提供するサービスが増加しており、携帯電話端末を利用して、無線ＬＡＮに接続する機会は今後増加すると考えられる。そこで、背景技術のごとく、通信網を介してコンテンツを配信すると、放送波を受信できない場所にある携帯電話端末でもコンテンツを視聴できる。また、放送事業者あるは放送基地局が、通信網を介して放送コンテンツを配信すれば、無線ＬＡＮの基地局装置は、情報を単純に中継するだけでよく、無線ＬＡＮの基地局装置の構成は簡易になる。しかしながら、コンテンツを配信するために、放送事業者あるいは放送基地局と、無線ＬＡＮの基地局装置とを通信回線にて接続する必要がある。一方、無線ＬＡＮの基地局装置が設置されたエリアの付近において、放送波が受信できる場合もあり、その場合には、放送波と通信回線の両方によって、同一のコンテンツを配信することになり、効率的ではない。
【０００５】
本発明はこうした状況に鑑みてなされたものであり、その目的は、コンテンツを効率的に転送するコンテンツ中継技術およびコンテンツ受信技術を提供することにある。
【課題を解決するための手段】
【０００６】
上記課題を解決するために、本発明のある態様のコンテンツ中継装置は、放送波を介してコンテンツを受信する放送波受信部と、放送波受信部において受信したコンテンツに対して、放送波を介して受信した際の形式を維持しながら、通信網を介して配信する際に適した形式へ変換するコンテンツ変換部と、コンテンツ変換部において変換したコンテンツを、通信網を介して配信するコンテンツ配信部と、を備える。
【０００７】
「コンテンツ」とは、番組に含まれた映像データ、音声データ、情報データのそれぞれあるいはそれらの任意の組合せに相当する。また、「コンテンツ」は、映像データ等そのものでもよく、あるいは映像データ等に対して符号化等の処理を行ったものでもよい。この態様によると、受信した放送波に含まれたコンテンツを通信網にて送信することによって、放送波を利用しながらコンテンツを転送するので、コンテンツを効率的に転送できる。
【０００８】
コンテンツ配信部から配信するコンテンツの形式は、放送波受信部において受信したコンテンツが格納されるように規定されており、コンテンツ変換部は、コンテンツ自体に対する復号および符号化を実行せずに、変換を実行してもよい。この場合、変換を行う際に、コンテンツ自体に対する復号および符号化を実行しないので、処理を簡易にできる。
【０００９】
放送波受信部において受信したコンテンツとは別のコンテンツを保持するコンテンツ格納部と、放送波受信部において受信したコンテンツに含まれる、一時的にコンテンツの差し替えが許可された時間帯の開始あるいは終了に関する情報を取得する許可情報取得部とをさらに備え、コンテンツ配信部は、許可情報取得部において差し替えが許可された時間帯の開始を示す情報を取得すると、配信するコンテンツを、コンテンツ格納部が保持しているコンテンツに切り替え、また、差し替えが許可された時間帯終了を示す情報を取得すると、配信するコンテンツを、放送波受信部から受信したコンテンツに切り替えてもよい。この場合、許可された時間にコンテンツを配信するので、当該コンテンツ中継装置によって形成されるエリアに独自のコンテンツを配信できる。
【００１０】
災害などの情報を報知するための緊急警報を受信する緊急警報受信部と、緊急警報受信部において受信した緊急警報には、緊急警報の対象となるエリアに関する情報が含まれており、本コンテンツ中継装置の設置エリアが、対象エリアであるかを判断する対象エリア判断部と、対象エリア判断部が緊急警報の対象エリアと判断した場合に、コンテンツ配信部から配信すべきコンテンツを緊急警報に切りかえるコンテンツ切替部とをさらに備えてもよい。この場合、対象エリアに設置エリアが含まれる場合に、緊急警報を配信するので、必要とされるエリアに緊急警報を配信できる。
【００１１】
本発明の別の態様は、コンテンツ受信装置である。この装置は、放送波を介してコンテンツを受信する放送波受信部と、通信網を介してコンテンツを受信する通信網受信部と、放送波受信部において受信した放送波の受信感度を検知する受信感度検知部と、受信感度検知部での検知結果をもとに、コンテンツを受信するための手段として、放送波受信部あるいは通信網受信部を選択する受信部選択部と、を備える。
【００１２】
この態様によると、受信感度に応じてコンテンツを受信するための手段を切りかえるので、コンテンツの受信確率を向上できる。
【００１３】
受信部選択部は、受信感度検知部において検知した受信感度が、設定されたレベルより低い場合、通信網受信部を選択してもよい。この場合、放送波の受信感度が小さくても、通信網を使用するので、コンテンツの受信確率を向上できる。
【００１４】
受信部選択部は、受信感度検知部において検知した受信感度が、設定されたレベルより高い場合、放送波受信部を選択してもよい。この場合、放送波の受信感度がある程度大きければ、放送波を使用するので、通常通りにコンテンツを受信できる。
【００１５】
受信部選択部は、放送波受信部および通信網受信部の両方がコンテンツを受信可能である場合に、放送波受信部および通信網受信部のうち、受信のための消費電力が小さい方を選択してもよい。この場合、消費電力の小さい方を選択するので、消費電力を低減できる。
【００１６】
電池残量を検知する電池残量検知部をさらに備えてもよい。受信部選択部は、放送波受信部および通信網受信部の両方がコンテンツを受信可能である場合に、電池残量検知部での検知結果が、設定されたレベルよりも大きければ、放送波受信部および通信網受信部のうち、受信品質の高い方を選択し、電池残量検知部での検知結果が、設定されたレベルよりも大きくなければ、放送波受信部および通信網受信部のうち、受信のための消費電力が小さい方を選択してもよい。この場合、電池残量に応じて選択基準を変更するので、低消費電力化と高品質化とを両立できる。
【００１７】
本発明のさらに別の態様は、コンテンツ中継方法である。この方法は、放送波を介して受信したコンテンツに対して、放送波を介して受信した際の形式を維持しながら、通信網を介して配信する際に適した形式へ変換した後に、変換したコンテンツを、通信網を介して配信する。
【００１８】
本発明のさらに別の態様は、コンテンツ受信方法である。この方法は、放送波あるいは通信網を介してコンテンツを受信するコンテンツ受信方法であって、受信した放送波の受信感度を検知し、検知結果をもとに、コンテンツを受信するための手段として、放送波を介したコンテンツの受信、あるいは通信網を介したコンテンツの受信を選択する。
【００１９】
なお、以上の構成要素の任意の組合せ、本発明の表現を方法、装置、システム、記録媒体、コンピュータプログラムなどの間で変換したものもまた、本発明の態様として有効である。
【発明の効果】
【００２０】
本発明によれば、コンテンツを効率的に転送できる。
【発明を実施するための最良の形態】
【００２１】
本発明を具体的に説明する前に、概要を述べる。本発明の実施例は、放送波を介してコンテンツを配信する放送システムに関する。特に、放送波を介してコンテンツを受信し、通信網を介して受信したコンテンツを転送するギャップフィラーに関する。具体的には、放送事業者等が、ギャップフィラーまで放送波にてコンテンツを配信し、ギャップフィラーは、無線ＬＡＮでの配信に対応した形式へコンテンツを変換した後、無線ＬＡＮを介して、変換したコンテンツを携帯電話端末に配信する。
【００２２】
ここで、無線ＬＡＮでの配信に対応した形式に変換するとは、受信したコンテンツのフォーマットを変換せず、コンテンツをＩＰパケットに格納させることに相当する。そのため、通常のギャップフィラーにおいて必要とされる技術基準や免許取得などにかかる負担が少なくなり設置が容易になる。また、放送事業者とギャップフィラーとの間の通信回線に、コンテンツという大容量のデータを配信する必要がないので、小規模な店舗や事業者でも、ギャップフィラーの設置が容易になる。また、ギャップフィラーにおいて誤り訂正などの高度な処理を追加することもあるが、本発明の構成においてはこのような処理が通常追加されていることも利点である。
【００２３】
さらに、ギャップフィラーによるコンテンツの配信エリアを限定することによって、配信エリアに適した広告の配信が可能になる。例えば、テレビジョン放送に挿入された広告の配信予定時刻を予め放送局から入手し、ギャップフィラーは、配信予定時刻に、受信したコンテンツに挿入された広告の代わりに、予め記憶した広告を当該コンテンツに挿入してから、配信を実行する。その際、ギャップフィラーは、配信エリアに適した広告を予め記憶しておく。その結果、広告の効率的な配信が可能になる。
【００２４】
図１は、本発明の実施例に係る放送システム１００の構成を示す。放送システム１００は、端末装置１０と総称される第１端末装置１０ａ、第２端末装置１０ｂ、第３端末装置１０ｃ、放送装置１２、中継装置１４を含む。ここで、第１端末装置１０ａから第３端末装置１０ｃの３つの端末装置１０が示されているが、これに限定はされず、これ以下の数あるいはこれ以上の数の端末装置１０が含まれてもよい。
【００２５】
放送装置１２は、放送事業者がコンテンツを送信するための送信装置である。放送装置１２は、地上デジタル放送に対応した送信機能を有しているので、ＴＳパケットという単位にコンテンツを分割し、ＴＳパケットを連続的に送信する。なお、放送装置１２は、公知の技術によって実現されればよいので、ここでは、詳細を省略する。ここでは、放送装置１２によって送信される電波であって、かつコンテンツを送信するための電波を放送波と呼ぶ。つまり、放送装置１２は、放送波を介してコンテンツを配信する。
【００２６】
第１端末装置１０ａは、屋外に存在し、放送装置１２からの放送波を受信する。そのため、第１端末装置１０ａは、放送装置１２から放送されたコンテンツを再生する。ここで、第１端末装置１０ａによって受信される地上波デジタル放送は、ワンセグ放送であるものとする。このような放送装置１２と第１端末装置１０ａとの組合せは、一般的なワンセグ放送の放送形態である。一方、第２端末装置１０ｂは、ビル１６内に存在し、放送装置１２からの放送波を受信できない。そのため、第２端末装置１０ｂは、放送装置１２から送信されたコンテンツを再生できない。このような状況は、ビル１６内に限られず、例えば、地下街においても同様である。
【００２７】
中継装置１４は、一端において放送波を受信し、他端において無線ＬＡＮの無線信号を送信する。つまり、中継装置１４は、放送波を介してコンテンツを受信し、無線ＬＡＮを介してコンテンツを配信する。すなわち、中継装置１４は、コンテンツの中継を実行し、前述のギャップフィラーに相当する。しかしながら、放送波を受信して放送波を送信するような従来のギャップフィラーとは異なり、中継装置１４に受信される信号と、中継装置１４から送信される信号とは、異なっている。ここで、中継装置１４は、無線ＬＡＮを介して配信するコンテンツの形式が、放送波を介して受信したコンテンツの形式を維持するように信号の変換を実行する。詳細は後述する。
【００２８】
第３端末装置１０ｃは、放送波ではなく、無線ＬＡＮを介して中継装置１４からコンテンツを受信し、受信したコンテンツを再生する。つまり、端末装置１０は、放送波を受信可能な場合に、放送装置１２から放送波を介して配信されるコンテンツを受信するとともに、放送波を受信できない環境にある場合に、中継装置１４から無線ＬＡＮを介して配信されるコンテンツを受信する。なお、端末装置１０には、携帯電話網に対応した機能が備えられるが、ここでは、説明を明瞭にするために、当該機能の説明は省略されるものとする。
【００２９】
図２は、中継装置１４の構成を示す。中継装置１４は、放送用アンテナ２０、放送処理部２２、ＴＳ改変部２４、コンテンツ格納部２６、無線ＬＡＮ処理部２８、制御部３０、無線ＬＡＮ用アンテナ４４を含む。また、放送処理部２２は、チューナ部３４と総称される第１チューナ部３４ａ、第２チューナ部３４ｂ、トランスコード部３６と総称される第１トランスコード部３６ａ、第２トランスコード部３６ｂを含み、無線ＬＡＮ処理部２８は、ＲＴＰ処理部３８、番組情報保存部４０、無線ＬＡＮ通信部４２を含む。
【００３０】
チューナ部３４は、放送用アンテナ２０によって、図示しない放送装置１２が配信する放送波を受信する。これにより、チューナ部３４は、放送波を介してコンテンツを受信する。なお、チューナ部３４によって受信された放送波には、地上デジタル放送での複数のチャンネルが周波数多重されながら含まれており、それぞれのチャンネルには、ＯＦＤＭ変調がなされている。さらに、それぞれのチャンネルは、ＴＳパケットというデータ単位が連続することによって形成される。その結果、ひとつのチャンネルによって配信されるコンテンツは、複数のＴＳパケットに分割されて配信される。
【００３１】
チューナ部３４は、受信した放送波、つまり複数のチャンネルを受けつけ、周波数変換処理、Ａ／Ｄ変換処理、各種復調処理、誤り訂正処理を実行し、所望のチャンネルに対応した複数のＴＳパケット（以下、「ＴＳ信号」という）を出力する。ここで、ＴＳ信号は、チャンネルに応じて、ワンセグあるいは１３セグメント放送（以下、「１３セグ」という）に対応する。なお、チューナ部３４は、一般的に、特別の工夫なく１セグを受信できる。チューナ部３４は、図示しないＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）復号部を有し、ＴＭＣＣ信号から復調の方式などを取得する。ここで、ふたつのチャンネルを同時に受信するために、第１チューナ部３４ａと第２チューナ部３４ｂとが備えられる。ひとつのチャンネルだけを受信する場合には、第１チューナ部３４ａだけが備えられればよく、３つ以上のチャンネルを同時にする場合には、３つ以上のチューナ部３４が備えられればよい。
【００３２】
トランスコード部３６は、１３セグのＴＳ信号を入力し、Ｄｅｍｕｘ、デコード、再エンコード、Ｍｕｘ処理をそれぞれ実行する。その結果、トランスコード部３６は、画面サイズ、ビットレート、符号化方式を変換したＴＳ信号を出力する。現在の携帯電話端末の画面およびデコーダ能力は、ともに１セグを受信できる程度であるが、将来的な画面解像度の向上やデコーダ能力の向上は確実であり、例えば高画質テレビ電話機能などが実装されると想定される。そのような場合にトランスコード部３６の機能によれば、高画質テレビ電話機能のデコーダおよび画面に合わせたより高質なコンテンツの提供が可能になる。なお、チューナ部３４がワンセグのＴＳ信号を出力している場合、トランスコード部３６は動作しなくてもよい。
【００３３】
コンテンツ格納部２６は、チューナ部３４において受信したコンテンツとは別のコンテンツ、例えば、広告のような自主放送等を記録したＴＳ信号などを保存して、所定タイミングに合わせて、保存したコンテンツを出力する。なお、タイミングの合わせ方には、大きくふたつの手法がある。ひとつはコンテンツの格納時にタイムスタンプを付与しておき、そのタイムスタンプにしたがってＴＳ信号を出力していく手法である。当該手法は、連携すべき機器が外部に存在し、フロー制御の方法がない場合に使用される。別の手法は、内部同期とフロー制御を用いた手法である。ＴＳ信号には、ミクロにＰＣＲ(Ｐｒｏｇｒａｍ  Ｃｌｏｃｋ  Ｒｅｆｅｒｅｎｃｅ)と呼ばれる情報や、マクロにデコーダに入力されるピクチャの数など、配信タイミングに関する情報が重畳されている。この情報にしたがって、コンテンツ格納部２６あるいは後述の制御部３０が、タイミングに合わせて内部処理を実行するとともに、バッファの空き量にもとづいて前段の出力の量を調整する手法である。本実施例では前者のタイムスタンプにしたがって出力する方式を選択したものとする。なお、チューナ部３４あるいは無線ＬＡＮ用アンテナ４４は、コンテンツの中において、一時的にコンテンツの差し替えが許可された時間に関する許可時間情報（以下、「広告時間情報」という）を受信する。
【００３４】
ＴＳ改変部２４は、ＴＳ信号に含まれた放送局情報や時刻情報の書き換えを実行する。ＴＳ改変部２４は、トランスコード部３６あるいはチューナ部３４からのＴＳ信号に対して、チャンネルとして表示される部分（ＮＩＴ（Ｎｅｔｗｏｒｋ  Ｉｎｆｏｒｍａｔｉｏｎ  Ｔａｂｌｅ）内のネットワーク名記述子）の改変や、地上デジタル放送であるかどうかを指定する部分（ＮＩＴ内のシステム管理記述子）の改変を実行する。また、ＴＳ改変部２４は、コンテンツ格納部２６からのＴＳ信号に対して、時刻情報部分（ＴＯＴ（Ｔｉｍｅ  Ｏｆｆｓｅｔ  Ｔａｂｌｅ）のＪＳＴ＿ｔｉｍｅフィールド）の改変を実行する。その後、ＴＳ改変部２４は、改変したＴＳ信号をＲＴＰ処理部３８に出力する。その際、ＴＳ改変部２４は、複数のチューナ部３４を有する場合や、さらにトランスコード部３６などよってビットレートが増減される場合に対応して、帯域の割り振りを実行する。ＴＳ改変部２４で行うこれらの処理により、図示しない端末装置１０は放送を直接受信している場合と受信部の処理を共通化することができる。しかし、中継装置１４でＴＳ改変処理を行わず、端末装置１０で無線ＬＡＮ経由であることを認識した上でこれらの情報部分を無視するなどの処理を追加することで対応することもできる。
【００３５】
ＲＴＰ処理部３８は、ＴＳ改変部２４において改変したＴＳ信号をＴＳパケットに分割しながら、ＲＴＰのパケットのペイロード部分にＴＳパケットを格納する。また、ＲＴＰ処理部３８は、ＵＤＰのパケットのペイロード部分にＲＴＰのパケットを格納するとともに、ＩＰのパケットのペイロード部分にＵＤＰのパケットを格納することによって、最終的にＩＰパケットを出力する。その際、ＲＴＰ処理部３８は、それぞれのヘッダを適切に付与する。つまり、ＲＴＰ処理部３８は、チューナ部３４において受信したコンテンツに対して、放送波を介して受信した際の形式、すなわちＴＳパケットを維持しながら、無線ＬＡＮを介して配信する際に適した形式、すなわちＩＰパケットへの変換を実行する。その際、ＲＴＰ処理部３８は、コンテンツ自体に対する復号および符号化を実行せずに、変換を実行する。コンテンツ自体に対する復号の一例は、Ｈ．２６４の復号やＡＡＣの復号である。
【００３６】
図３（ａ）−（ｄ）は、中継装置１４において処理されるコンテンツのフォーマットを示す。図３（ａ）は、放送処理部２２において受信し、処理されたコンテンツのフォーマットである。図示のごとく、第１ＴＳパケットから第ＮＴＳパケットという複数のＴＳパケットが連続的に配置されている。一般的に１つのＴＳに複数のチャンネル（サービス）が入っていることがあるが、ここでは１つのＴＳには単独のチャンネルが入っているものとする。なお、ＲＴＰ処理部３８に入力されるコンテンツのフォーマットも、図３（ａ）と同様の構成を有する。
【００３７】
ＲＴＰ処理部３８は、入力された図３（ａ）のフォーマットから、図３（ｄ）に示すフォーマットへの変換を実行する。ここでは、一例として、図３（ａ）の複数のＴＳパケットのうち、第１ＴＳパケットから第４ＴＳパケットによって、一つのＩＰパケットが生成される場合を説明する。図３（ｂ）のごとく、第１ＴＳパケットから第４ＴＳパケットのそれぞれに対し、タイムスタンプを付加する。また、図３（ｃ）のごとく、タイムスタンプが付加された４つのＴＳパケット（第１ＴＳパケットから第４ＴＳパケット）を結合させ、結合したそれぞれにＲＴＰパケットヘッダを付加させることによりＲＴＰパケットを生成する。その後、ＵＤＰパケットヘッダ、ＩＰパケットヘッダを順に付加することにより、図３(ｄ)に示すＩＰパケットが生成される。ＲＴＰ処理部３８から無線ＬＡＮ通信部４２に出力されるのが、このＩＰパケットのフォーマットである。図２に戻る。
【００３８】
無線ＬＡＮ通信部４２は、ＲＴＰ処理部３８からのＩＰパケットを入力し、暗号化処理、誤り訂正の符号化処理、変調処理などを実行することによって、無線ＬＡＮパケットを生成する。さらに、無線ＬＡＮ通信部４２は、適切なチャネルやＥＳＳ−ＩＤにて無線ＬＡＮパケットを無線ＬＡＮ用アンテナ４４から送信する。つまり、無線ＬＡＮ通信部４２は、ＲＴＰ処理部３８において変換したコンテンツを、無線ＬＡＮを介して配信する。ここで、無線ＬＡＮ通信部４２から配信するコンテンツの形式は、チューナ部３４において受信したＴＳパケットが格納されるように規定されている。無線ＬＡＮ通信部４２は、広告時間情報に対応する時間に、コンテンツ格納部２６が保持しているコンテンツを配信してもよい。
【００３９】
番組情報保存部４０は、無線ＬＡＮを介して番組を視聴するために必要な番組情報を保持する。番組情報保存部４０は、無線ＬＡＮ通信部４２を介して、図示しない端末装置１０から番組情報要求を受信すると、無線ＬＡＮ通信部４２を介して、格納している番組情報を当該端末装置１０に送信する。
【００４０】
図４は、番組情報保存部４０において記憶される番組情報のテーブルを示す。図示のごとく、サービス名欄２００、方式欄２０２、タイプ欄２０４、マルチキャストアドレス欄２０６、無線ＬＡＮ識別子欄２０８が含まれる。サービス名欄２００には、コンテンツの配信元になる放送局に関する情報が含まれる。方式欄２０２には、放送の形式に関する情報、例えば「１セグ」、「ＳＤ」のいずれかが含まれる。タイプ欄２０４は、中継のタイプを示し、マルチキャストアドレス欄２０６は、マルチキャストアドレスを示し、無線ＬＡＮ識別子欄２０８は、無線ＬＡＮの識別子を示す。このような番組情報は、端末装置１０が無線ＬＡＮを介してコンテンツを受信するために必要な情報であり、端末装置１０からの要求に応じて、中継装置１４から送信される。図２に戻る。制御部３０は、中継装置１４全体の動作タイミング等を制御する。
【００４１】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４２】
図５は、端末装置１０の構成を示す。端末装置１０は、放送用アンテナ５０、無線ＬＡＮ用アンテナ５２、放送処理部５４、無線ＬＡＮ処理部５６、受信感度検知部５８、入力切替部６０、再生部６２、制御部６４を含む。また、放送処理部５４は、放送波受信部６６、１セグチューナ部６８を含み、無線ＬＡＮ処理部５６は、無線ＬＡＮ受信部７０、ＲＴＰ処理部７２、番組情報取得部７４、番組情報記憶部７６、コンテンツ受信設定部７８、番組情報要求部８０、無線ＬＡＮ送信部８２を含み、再生部６２は、Ｄｅｍｕｘ部８４、ＡＡＣデコーダ８６、音声出力部８８、Ｈ．２６４デコーダ９０、画面表示部９２を含む。
【００４３】
放送波受信部６６は、放送用アンテナ５０によって、図示しない放送装置１２から放送波を介して配信されるコンテンツを受信し、受信したコンテンツを１セグチューナ部６８に出力する。１セグチューナ部６８は、放送波受信部６６からのコンテンツに対して、周波数変換処理、A/D変換処理、各種復調処理、誤り訂正処理を実行し、ＴＳ信号を出力する。
【００４４】
無線ＬＡＮ受信部７０は、通信網、つまり無線ＬＡＮを介して、図示しない中継装置１４から送信されるコンテンツおよび番組情報を受信する。無線ＬＡＮ受信部７０は、１セグチューナ部６８と同様に、周波数変換処理、A/D変換処理、各種復調処理、誤り訂正処理を実行し、ＩＰパケットを出力する。無線ＬＡＮ受信部７０がコンテンツを受信した場合、ＩＰパケットは、ＲＴＰ処理部７２に出力され、無線ＬＡＮ受信部７０が番組情報を受信した場合、ＩＰパケットは、番組情報取得部７４に出力される。
【００４５】
ＲＴＰ処理部７２は、無線ＬＡＮ受信部７０からのＩＰパケットを順に分解し、所望のＴＳパケットを取得する。前述のごとく、ＩＰパケットのペイロード部分には、ＵＤＰパケットが格納され、さらに、ＵＤＰパケットのペイロード部分には、ＲＴＰパケットが格納されている。このようなＲＴＰパケットはＴＳパケットを含んでいるので、ＲＴＰ処理部７２は、ＲＴＰパケットからＴＳパケットを抽出する。また、ＲＴＰ処理部７２は、バッファリングなどを実行することによって、ＴＳパケットを安定的に出力する機能も有している。
【００４６】
受信感度検知部５８は、１セグチューナ部６８において受信した信号の受信強度を検知する。つまり、受信感度検知部５８は、放送波受信部６６において受信した放送波の受信感度を検知する。受信感度の検知には、公知の技術が使用されればよいので、ここでは、説明を省略する。受信感度検知部５８は、放送波を介してコンテンツを受信している際に、受信強度が、予め設定されているしきい値TH_A未満になったことを検知した場合に、番組情報要求部８０に対し、番組情報を図示しない中継装置１４に要求するように依頼するとともに、入力切替部６０に対し、入力を１セグチューナ部６８からＲＴＰ処理部７２に切り替えるように依頼する。つまり、受信感度検知部５８は、検知した受信感度が、設定されたレベルより低くなった場合、無線ＬＡＮ処理部５６を選択するように指示する。なお、このような入力切替部６０での切り替えだけでなく、放送処理部５４あるいは無線ＬＡＮ処理部５６への電力供給を断つような構成も考えられる。さらに、受信感度によって双方への電力供給を行ったり、一方のみにしたりという構成で省電力と安定受信を同時に実現するような構成も考えられる。以下では簡単のため、このような構成については記述しない。
【００４７】
一方、受信感度検知部５８は、無線ＬＡＮを介してコンテンツを受信している際に、受信強度が、予め設定されているしきい値TH_B以上になったことを検知した場合に、入力切替部６０に対して、入力をＲＴＰ処理部７２から１セグチューナ部６８に切り替えるように依頼する。つまり、受信感度検知部５８は、検知した受信感度が、設定されたレベル以上になった場合、放送処理部５４を選択するように指示する。
【００４８】
入力切替部６０は、受信感度検知部５８からの依頼にもとづき、コンテンツを受信するための手段として、１セグチューナ部６８およびＲＴＰ処理部７２から出力されるＴＳパケットのどちらかを選択する。Ｄｅｍｕｘ部８４は、入力切替部６０からＴＳパケットを受けつけ、ＰＩＤ（Ｐａｃｋｅｔ  ＩＤ）をもとに、映像および音声用のＴＳパケットを選別する。また、Ｄｅｍｕｘ部８４は、選別結果に応じて、ＡＡＣデコーダ８６あるいはＨ．２６４デコーダ９０にＴＳパケットを出力する。なお、この処理のために、ＳＩ／ＰＳＩ（Ｓｅｒｖｉｃｅ  Ｉｎｆｏｒｍａｔｉｏｎ  ／  Ｐｒｏｇｒａｍ  Ｓｐｅｃｉｆｉｃ  Ｉｎｆｏｒｍａｔｉｏｎ）と呼ばれる制御用情報を含んだパケットが使用される。また、ビデオ信号、オーディオ信号以外にもデータ放送や字幕の情報が含まれることもあるが、本実施例では省略する。
【００４９】
Ｈ．２６４デコーダ９０は、映像に関連するＴＳパケットのヘッダを取り除き、ペイロードを連結してＰＥＳ（Ｐａｃｋｅｔｉｚｅｄ  Ｅｌｅｍｅｎｔａｒｙ  Ｓｔｒｅａｍ）パケットを生成する。また、Ｈ．２６４デコーダ９０は、ＰＥＳパケットのヘッダを取り除き、ペイロードを連結することによって、ＥＳ（Ｅｌｅｍｅｎｔａｒｙ  Ｓｔｒｅａｍ）を取得する。さらに、Ｈ．２６４デコーダ９０は、ＥＳを復号して、非圧縮の映像信号を画面表示部９２に出力する。
【００５０】
ＡＡＣデコーダ８６は、音声パケットに対して、Ｈ．２６４デコーダ９０と同様に動作し、音声信号を音声出力部８８に出力する。画面表示部９２は、液晶画面などによって構成されており、Ｈ．２６４デコーダ９０から出力された映像信号を表示することによって、ユーザに映像を提供する。音声出力部８８は、スピーカー等によって構成されており、ＡＡＣデコーダ８６から出力された音声信号を出力することによって、ユーザに音声を提供する。
【００５１】
番組情報要求部８０は、受信感度検知部５８からの依頼を受け、図示しない中継装置１４に対して番組情報を要求するための番組情報要求を生成し、番組情報要求の送信を無線ＬＡＮ送信部８２に依頼する。無線ＬＡＮ送信部８２は、番組情報要求部８０の依頼にしたがって、番組情報要求を中継装置１４に送信する。無線ＬＡＮ送信部８２は、周波数変換処理、D/A変換処理などの順に、無線ＬＡＮ受信部７０とは逆向き順序にて処理を実行する。
【００５２】
番組情報取得部７４は、無線ＬＡＮ受信部７０において受信した番組情報を取得する。また、番組情報取得部７４は、取得した番組情報にしたがって、無線ＬＡＮ受信部７０の設定を行うように、コンテンツ受信設定部７８に依頼する。番組情報記憶部７６は、番組情報取得部７４において取得した番組情報を保持する。コンテンツ受信設定部７８は、番組情報取得部７４からの依頼にしたがって、コンテンツを受信できるように、無線ＬＡＮ受信部７０を設定する。制御部６４は、端末装置１０全体の動作タイミング等を制御する。
【００５３】
以上の構成による中継装置１４の動作を説明する。図６は、中継装置１４による中継手順を示すフローチャートである。制御部３０は、チューナ部３４を予め決められたチャンネルに設定するとともに（Ｓ１０）、１３セグメント放送のＴＳ信号を、端末装置１０に適した品質に変換できるように、トランスコード部３６の設定を行う（Ｓ１１）。チューナ部３４は、受信したＴＳ信号を復調する（Ｓ１２）。なお、チューナ部３４は、１３セグメント放送のＴＳ信号（以下、「１３セグメントＴＳ」という）と、ワンセグ放送のＴＳ信号（以下、「ＴＳ−１」という）を復調することが可能であるが、ここでは、１３セグメントＴＳを復調することにする。その後、トランスコード部３６は、そのＴＳ信号を、６４０×４８０の解像度のＨ．２６４方式への変換を実行するとともに、音声はそのままで多重した４ＭｂｐｓのＴＳ（以下、「ＴＳ−２」という）に変換する（Ｓ１４）。
【００５４】
次に、ＴＳパケットがＮＩＴであるかを判断し（Ｓ１５）、ＮＩＴであった場合は（Ｓ１５のＹ）、ＴＳ改変部２４は、ネットワーク識別子、システム管理識別子を「００００１１」から「１１１１１１」に書き換える（Ｓ１８）。ここで、「００００１１」は地上デジタル放送を示す値に相当し、「１１１１１１」は、無線ＬＡＮを示す値に相当する。その後処理はＳ２１へ進む。
【００５５】
また、ＴＳパケットがＮＩＴでない場合には（Ｓ１５のＮ）、そのＴＳパケットがＴＯＴであるかの判断を行う（Ｓ１７）。ＴＳパケットがＴＯＴでない場合（Ｓ１７のＮ）には、処理がＳ２１へ移行する。一方、ＴＯＴの場合（Ｓ１７のＹ）には、ＴＳ改変部２４は、ＪＳＴ＿ｔｉｍｅフィールドを内部で保持している現在時刻にあわせて書き換え（Ｓ２０）、Ｓ２１に進む。
【００５６】
Ｓ２１では、出力されていないＴＳパケットがｎ個たまったかを判断し（Ｓ２１）、たまるまで（Ｓ２１のＮ）、Ｓ１２からの処理を繰り返す。出力されていないＴＳパケットがｎ個たまれば（Ｓ２１のＹ）、ＲＴＰ処理部３８は、ＴＳパケットに対して、ＲＴＰパケットヘッダを付与した上で、ペイロードに複数のＴＳパケットを格納する。また、ＲＴＰ処理部３８は、ＲＴＰパケットにＵＤＰヘッダ、ＩＰヘッダをそれぞれ付与してＩＰパケットを生成し（Ｓ２２）、ＩＰパケットを無線ＬＡＮ通信部４２に出力する。なお、ＲＴＰにおいてストリーミングを行う場合には、ＲＴＰ処理部３８は、通常ＲＴＳＰで送受信間の調整を行ったり、ＲＴＣＰでフロー制御を行ったりするが、ここでは説明を省略する。無線ＬＡＮ通信部４２は、変調処理、Ｄ／Ａ変換処理などを実行した後（Ｓ２４）、無線伝送を実行する（Ｓ２６）。その後、制御部３０から終了の指示があったかを確認し（Ｓ２８）、ない場合には（Ｓ２８のＮ）、Ｓ１２からの処理を繰り返す。指示があれば（Ｓ２８のＹ）、処理を終了する。
【００５７】
なお、ここでは、チューナ部３４は、１３セグメント放送のＴＳ信号を受信したが、ワンセグ放送のＴＳ信号を受信する場合も同様である。ただし、その場合にはトランスコード処理が不要になるため、Ｓ１１およびＳ１４の処理はスキップされる。
【００５８】
図７は、中継装置１４による広告の配信手順を示すフローチャートである。ここでは、ＴＳ改変部２４の動作について示している。ＴＳ改変部２４は番組の受信を開始すると、まず、ＴＳ−１とＴＳ−２を選択する(Ｓ４１)。ＴＳ改変部２４は、今後選択しない限りは、ここで選択したもの側が、入力として選択され続ける。その後、入力からＴＳパケットを取得する（Ｓ４３）。そして、内蔵している時計によって計時されている時刻と、予め取得している広告時間情報に含まれる広告放送開始時間が、一致するかを確認する（Ｓ４４）。一致する場合は（Ｓ４４のＹ）は、処理するＴＳ信号を、コンテンツ格納部が保持しているＴＳ−Ｃに切り替える（Ｓ４６）。その後、処理は、Ｓ５２に進む。
【００５９】
一方、一致しない場合には（Ｓ４４のＮ）、内蔵している時計によって計時されている時刻と、予め取得している広告時間情報に含まれる広告放送終了時間が、一致しているかを確認する（Ｓ４８）。一致していない場合には（Ｓ４８のＮ）、処理は、Ｓ５２に進む。また、一致している場合には（Ｓ４８のＹ）、処理するＴＳ信号を、Ｓ４１において選択したＴＳ−１あるいはＴＳ―２に切り替えた後（Ｓ５０）、処理がＳ５２に進む。ＴＳ改変部２４では、選択したＴＳ信号を出力する（Ｓ５２）。その後、制御部３０から終了指示があるかを確認し（Ｓ５４）、ない場合には（Ｓ５４のＮ）、Ｓ４３からの処理を繰り返す。指示があれば（Ｓ５４のＹ）、処理を終了する。
【００６０】
以上の構成による端末装置１０の動作を説明する。図８は、端末装置１０による受信手段を示すフローチャートである。入力切替部６０は、入力を１セグチューナ部６８に設定し（Ｓ７０）、放送波を介してコンテンツを受信する。入力切替部６０は、その後、新たに選択しない限り、選択したものの側を入力として選択し続ける。その後、終了指示があった場合には（Ｓ７１のＹ）、処理を終了する。終了指示がない場合には（Ｓ７１のＮ）、受信感度検知部５８は、受信感度が一定値より低下していないかの検知を実行する（Ｓ７２）。低下していない場合は（Ｓ７２のＮ）、処理はＳ７１に戻る。一方、受信感度が一定値より低下した場合には（Ｓ７２のＹ）、無線ＬＡＮ受信部７０は、無線ＬＡＮとの接続を確立する（Ｓ７４）。その後、入力切替部６０は、１セグチューナ部６８からＲＴＰ処理部７２へ入力を切りかえ、端末装置１０は、無線ＬＡＮという通信網を介して、コンテンツを受信する（Ｓ７８）。その後、制御部６４から終了指示があったかの確認を行う（Ｓ７９）。終了指示があった場合には（Ｓ７９のＹ）、処理を終了する。終了指示がない場合には（Ｓ７９のＮ）、受信感度検知部５８が、放送波の受信感度が一定値より高いかを検知し、（Ｓ８０）、その結果、受信感度が視聴可能なレベルになれば（Ｓ８０のＹ）、処理はＳ７０に戻り、放送波を介してコンテンツが受信される。一方、受信感度が低いままの場合（Ｓ８０のＮ）、処理がＳ７９に移行する。
【００６１】
以下、本発明に係る変形例を説明する。変形例では、中継装置１４において、放送波を介して緊急放送を受信する。変形例における放送システム１００の構成は、図１に示された放送システム１００と同様のタイプであり、変形例に係る中継装置１４は、図２に示された中継装置１４と同様のタイプである。チューナ部３４は、災害などの情報を報知するための緊急警報放送を受信する。その際、前述のＴＭＣＣ信号には、緊急警報放送用起動フラグが含まれる。１セグチューナ部６８は、受信した緊急警報放送用起動フラグをもとに、緊急警報放送の有無を確認する。
【００６２】
制御部３０は、中継装置１４が設置されている設置エリアに関する情報を記憶する。設置エリアは、エリアを示した緯度、経度によって示されてもよいし、予め付与されたエリアに関する識別情報によって示されてもよい。また、放送波受信部６６において受信した緊急警報放送には、緊急警報放送の対象となる対象エリアに関する情報が含まれている。なお、対象エリアも設置エリアと同様に示されている。制御部３０は、設置エリアと対象エリアとを比較することによって、設置エリアが、対象エリアであるかを判断する。入力切替部６０は、緊急警報放送の対象エリアと判断された場合に、配信すべきコンテンツを緊急警報放送に切りかえる。
【００６３】
図９は、中継装置１４による緊急警報の配信手順を示すフローチャートである。１セグチューナ部６８は、ＴＭＣＣ信号中の緊急警告放送用起動フラグの有無を確認する（Ｓ１００）。フラグが「１」になっていれば、つまりフラグが含まれていれば（Ｓ１００のＹ）、ＴＳ改変部２４は、１セグチューナ部６８から出力されるＴＳ信号を解析することによって、ＰＭＴ（Ｐｒｏｇｒａｍ  Ｍａｐ  Ｔａｂｌｅ）を取得する。また、制御部３０は、ＰＭＴ内にある緊急情報記述子を確認し、緊急情報記述子内には対象エリアが記載されているので、設置エリアが対象エリアであるかを判断する（Ｓ１０２）。対象エリアであれば（Ｓ１０２のＹ）、中継装置１４は、緊急情報記述子内にて指定されたサービスを受信し、１セグチューナ部６８からの緊急警告放送のＴＳ信号に、ＴＳ改変部２４が出力していたＴＳ信号を切り替える（Ｓ１０４）。一方、フラグが「０」になっている場合、つまりフラグが含まれていない場合（Ｓ１００のＮ）、あるいは対象エリアでない場合（Ｓ１０２のＮ）、通常放送が選択される（Ｓ１０６）。
【００６４】
以下では、本発明に係る別の変形例を説明する。変形例では、中継装置１４において、広告時間情報を受信し、コンテンツ格納部２６に保持し、利用する代わりに、広告開始制御信号および広告終了制御信号を受信し、利用する。ここでは広告開始制御信号および広告終了制御信号がＴＳパケットのアダプテーションフィールドに挿入されて伝送されているものとする。ＴＳパケットには、ヘッダ部分以外にアダプテーションフィールドと呼ばれる付加情報を入れられる仕組みがあり、プライベートデータを入れることも可能であるため、ここではプライベートデータが挿入され、そのバイトが’０’であれば広告開始制御信号であり、’１’であれば広告終了制御信号であるとする。ここでは、ＴＳパケットのアダプテーションフィールドを利用したが、ＳＩ／ＰＳＩに含んで伝送することも可能である。特にＤＳＭ−ＣＣにはプライベートセクションが既に定義されており、これを利用することもありうる。
【００６５】
変形例における放送システム１００の構成は、図１に示された放送システム１００と同様のタイプあり、変形例に係る中継装置１４は、図２に示された中継装置１４と同様のタイプである。ＴＳ改変部２４は、全てのＴＳについてプライベートデータを含んでいないか確認し、配信すべきコンテンツを切り替える。
【００６６】
図１０は、ＴＳ改変部２４における広告の配信手順を示すフローチャートである。ＴＳ改変部２４は番組の受信を開始すると、まずＴＳ−１とＴＳ−２を選択する（Ｓ１１０）。これにより今後選択しない限りはＴＳ−１とＴＳ−２側が入力として選択され続ける。入力からＴＳを取得し（Ｓ１１２）、アダプテーションフィールドにプライベートデータがあるかどうかを確認する（Ｓ１１６）。プライベートデータが存在しない場合（Ｓ１１６のＮ）には、ＴＳを出力する（Ｓ１２４）。ステップ１２４では図６のような処理が行われるが、ここでは同様であるので省略した。
【００６７】
プライベートデータが存在する場合（Ｓ１１６のＹ）、その値を判定し（Ｓ１１８）、値に応じた入力ＴＳへと切り替えた（Ｓ１２０およびＳ１２２）上で、ＴＳを出力する（Ｓ１２４）。ＴＳを出力した後には制御部３０からの終了指示があるかどうかを確認し（Ｓ１２６）、指示があれば終了する（Ｓ１２６のＹ）。指示がなければ（Ｓ１２６のＮ）、ステップ１１２に戻る。
【００６８】
本発明の実施例によれば、受信した放送波に含まれたコンテンツを無線ＬＡＮにて送信することによって、放送事業者との間に通信回線を設置することなく、放送波を利用しながらコンテンツを転送できる。また、放送波を利用するので、コンテンツを効率的に転送できる。また、無線ＬＡＮを使用しながらコンテンツを送信するので、放送波を使用する場合よりも送信用の設備を簡易にできる。また、変換を行う際に、コンテンツ自体に対する復号および符号化を実行しないので、処理を簡易にできる。また、処理を簡易にするので、処理遅延を低減できる。また、ＴＳパケットをＩＰパケットに格納する処理を実行するので、受信側における復号処理の同一性を維持できる。また、許可された時間にコンテンツや広告を配信するので、中継装置によって形成されるエリアに独自のコンテンツや広告を配信できる。また、対象エリアに設置エリアが含まれる場合に、緊急警報を配信するので、必要とされるエリアに緊急警報を配信できる。
【００６９】
また、受信感度に応じてコンテンツを受信するための手段を切りかえるので、コンテンツの受信確率を向上できる。また、放送波の受信感度が悪くても、無線ＬＡＮを使用するので、コンテンツの受信確率を向上できる。また、放送波の受信感度がある程度良ければ、放送波を使用するので、無線ＬＡＮに関係なく、通常通りにコンテンツを受信できる。また、放送波と無線ＬＡＮの切りかえを自動に実行するので、ユーザの利便性を向上できる。また、放送波の受信が難しい建物内に対して、無線ＬＡＮによる配信を行うことによって、屋内/外を意識せず、ワンセグ放送を鑑賞できる。
【００７０】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００７１】
本発明の実施例において、入力切替部６０は、受信感度検知部５８での検出結果に応じて、放送処理部５４および無線ＬＡＮ処理部５６のいずれかを選択しているが、放送処理部５４を優先的に使用する。しかしながらこれに限らず例えば、受信感度検知部５８は、放送処理部５４および無線ＬＡＮ処理部５６の両方がコンテンツを受信可能である場合に、放送処理部５４および無線ＬＡＮ処理部５６のうち、受信のための消費電力が小さい方を選択してもよい。放送処理部５４の消費電力の方が小さければ、入力切替部６０は、放送処理部５４を選択し、無線ＬＡＮ処理部５６の消費電力の方が小さければ、入力切替部６０は、無線ＬＡＮ処理部５６を選択する。以上の処理のために、受信感度検知部５８は、無線ＬＡＮ受信部７０において受信された信号の受信感度を検知してもよい。本変形例によれば、消費電力の小さい方を選択するので、消費電力を低減できる。
【００７２】
また、端末装置１０は、図示しない電池残量検知部をさらに備え、電池残量検知部によって検知された電池残量をもとに、入力切替部６０は、放送処理部５４および無線ＬＡＮ処理部５６のいずれかを選択してもよい。入力切替部６０は、放送処理部５４および無線ＬＡＮ処理部５６の両方がコンテンツを受信可能である場合に、電池残量検知部での検知結果が、設定されたレベルよりも多ければ、放送処理部５４および無線ＬＡＮ処理部５６のうち、受信品質の高い方を選択する。一方、入力切替部６０は、電池残量検知部での検知結果が、設定されたレベルよりも多くなければ、放送処理部５４および無線ＬＡＮ処理部５６のうち、受信のための消費電力が小さい方を選択する。以上のために、制御部３０は、放送処理部５４および無線ＬＡＮ処理部５６の受信品質を測定してもよい。受信品質とは、例えば、誤り率である。この場合、電池残量に応じて選択基準を変更するので、低消費電力化と高品質化とを両立できる。
【００７３】
本発明の実施例において、認証を行わないものとして説明を行った。しかしながらこれに限らず例えば、中継装置１４と端末装置１０との間において、コンテンツの送受信前に認証がなされてもよい。
【００７４】
本発明の実施例において、通信網が無線ＬＡＮであるとする。しかしながらこれに限らず例えば、通信網は、ＩＥＥＥ８０２．１５規格に準拠した通信システム等であってもよい。本変形例によれば、さまざまな通信システムを本発明に適用できる。
【００７５】
本発明の実施例においては、ＷＥＰ（Ｗｉｒｅｄ  Ｅｑｕｉｖａｌｅｎｔ  Ｐｒｉｖａｃｙ）やＷＰＡ（Ｗｉ−Ｆｉ  Ｐｒｏｔｅｃｔｅｄ  Ａｃｃｅｓｓ）と呼ばれる無線ＬＡＮの暗号を使用した。しかし、暗号を使用するかしないか、ＴＳパケットのレベルで暗号化するか否か、２重に暗号化するか等はシステムに応じて適切に選択されるべきである。
【図面の簡単な説明】
【００７６】
【図１】本発明の実施例に係る放送システムの構成を示す図である。
【図２】図１の中継装置の構成を示す図である。
【図３】図３（ａ）−（ｂ）は、図２の中継装置において処理されるコンテンツのフォーマットを示す。
【図４】図２の番組情報保存部において記憶される番組情報のテーブルを示す図である。
【図５】図１の端末装置の構成を示す図である。
【図６】図２の中継装置による中継手順を示すフローチャートである。
【図７】図２の中継装置による広告の配信手順を示すフローチャートである。
【図８】図５の端末装置による受信手順を示すフローチャートである。
【図９】本発明の変形例に係る中継装置による緊急警報の配信手順を示すフローチャートである。
【図１０】本発明の別の変形例に係るＴＳ改変部における広告の配信手順を示すフローチャートである。
【符号の説明】
【００７７】
１０  端末装置、  １２  放送装置、  １４  中継装置、  １６  ビル、  ２０  放送用アンテナ、  ２２  放送処理部、  ２４  ＴＳ改変部、  ２６  コンテンツ格納部、  ２８  無線ＬＡＮ処理部、  ３０  制御部、  ３４  チューナ部、  ３６  トランスコード部、  ３８  ＲＴＰ処理部、  ４０  番組情報保存部、  ４２  無線ＬＡＮ通信部、  ４４  無線ＬＡＮ用アンテナ、  １００  放送システム。
【図１】
2010028153.tif 000003
【図２】
2010028153.tif 000004
【図３】
2010028153.tif 000005
【図４】
2010028153.tif 000006
【図５】
2010028153.tif 000007
【図６】
2010028153.tif 000008
【図７】
2010028153.tif 000009
【図８】
2010028153.tif 000010
【図９】
2010028153.tif 000011
【図１０】
2010028153.tif 000012